(57)【要約】【課題】レングスマークの確認のみで、計尺せずに電線・ケーブルの使用量又は残数量を同時に管理することができ、正確な数量管理を可能とするレングスマーク付電線・ケーブルを提供する。【解決手段】電線・ケーブル１１の外表面１２に一定の間隔で連続して電線・ケーブル１１の端末から長さを表示するレングスマーク１３が印字されたレングスマーク付電線・ケーブル１０において、電線・ケーブル１１の一方の端末からの長さを表示する第一のレングスマーク１３ａと、電線・ケーブル１１の他方の端末からの長さを表示する第二のレングスマーク１３ｂとが印字されたものである。【選択図】図１
2013229177.tif 000002
【特許請求の範囲】
【請求項１】
電線・ケーブルの外表面に一定の間隔で連続して前記電線・ケーブルの端末から長さを表示するレングスマークが印字されたレングスマーク付電線・ケーブルにおいて、
前記電線・ケーブルの一方の端末からの長さを表示する第一のレングスマークと、前記電線・ケーブルの他方の端末からの長さを表示する第二のレングスマークとが印字されたことを特徴とするレングスマーク付電線・ケーブル。
【請求項２】
前記第一のレングスマークと前記第二のレングスマークは、前記電線・ケーブルの異なる表示面にそれぞれ印字されている請求項１に記載のレングスマーク付電線・ケーブル。
【請求項３】
前記第一のレングスマークと前記第二のレングスマークは、前記電線・ケーブルの同一の表示面にそれぞれ印字されている請求項１に記載のレングスマーク付電線・ケーブル。
【発明の詳細な説明】
【技術分野】
【０００１】
本発明は、電線・ケーブルの端末からの長さを表示するレングスマークが印字されたレングスマーク付電線・ケーブルに関するものである。
【背景技術】
【０００２】
電線・ケーブルの使用量や残数量を把握するため、電線・ケーブルの数量管理が必要である。そのため、図３（ａ）、（ｂ）に示すように、電線・ケーブル３１の外表面３２に一定の間隔で連続して電線・ケーブル３１の端末からの長さを表示するレングスマーク３３を印字することがある。
【０００３】
このレングスマーク３３を見れば電線・ケーブル３１の端末からの長さが分かり、電線・ケーブル３１の使用量や残数量を把握することができる。
【先行技術文献】
【特許文献】
【０００４】
【特許文献１】特開２００１−３３８５３４号公報
【発明の概要】
【発明が解決しようとする課題】
【０００５】
しかしながら、従来のレングスマーク３３は、電線・ケーブル３１の片方の端末（始端又は終端のいずれか）を起点にのみ施されており、その片方の端末からの長さを表示するにとどまり、レングスマーク３３を見ただけでは電線・ケーブル３１の使用量と残数量のいずれか一方しか把握することができず、他方は算出する必要がある。
【０００６】
例えば、レングスマーク３３を見て電線・ケーブル３１の使用量を把握できたとしても、その残数量を把握するためにはケーブルドラムなどに巻き付けられた電線・ケーブル３１の全長から使用量を減算し、残数量を算出する作業が必要になる。
【０００７】
そのため、従来のレングスマーク３３を用いた数量管理では、この算出の過程で誤りが生じ、結果として、管理数量の誤りが発生してしまう虞がある。
【０００８】
また、電線・ケーブル３１の全長が予め分かっていない場合には、使用量又は残数量のいずれか一方しか把握することができないという問題もある。
【０００９】
そこで、本発明の目的は、レングスマークの確認のみで、計尺せずに電線・ケーブルの使用量と残数量を同時に管理することができ、正確な数量管理を可能とするレングスマーク付電線・ケーブルを提供することにある。
【課題を解決するための手段】
【００１０】
この目的を達成するために創案された本発明は、電線・ケーブルの外表面に一定の間隔で連続して前記電線・ケーブルの端末から長さを表示するレングスマークが印字されたレングスマーク付電線・ケーブルにおいて、前記電線・ケーブルの一方の端末からの長さを表示する第一のレングスマークと、前記電線・ケーブルの他方の端末からの長さを表示する第二のレングスマークとが印字されたレングスマーク付電線・ケーブルである。
【００１１】
前記第一のレングスマークと前記第二のレングスマークとが前記電線・ケーブルの異なる表示面に印字されていると良い。
【００１２】
前記第一のレングスマークと前記第二のレングスマークとが前記電線・ケーブルの同一の表示面に印字されていても良い。
【発明の効果】
【００１３】
本発明によれば、レングスマークの確認のみで、計尺せずに電線・ケーブルの使用量と残数量を同時に管理することができ、正確な数量管理を可能とするレングスマーク付電線・ケーブルを提供することができる。
【図面の簡単な説明】
【００１４】
【図１】本発明に係るレングスマーク付電線・ケーブルを示す図であり、（ａ）は全体図、（ｂ）は要部拡大図である。
【図２】本発明に係るレングスマーク付電線・ケーブルを示す図であり、（ａ）は全体図、（ｂ）は要部拡大図である。
【図３】従来技術に係るレングスマーク付電線・ケーブルを示す図であり、（ａ）は全体図、（ｂ）は要部拡大図である。
【発明を実施するための形態】
【００１５】
以下、本発明の好適な実施の形態を添付図面にしたがって説明する。
【００１６】
図１（ａ）、（ｂ）に示すように、レングスマーク付電線・ケーブル１０は、電線・ケーブル１１の外表面１２に一定の間隔で連続して電線・ケーブル１１の端末から長さを表示するレングスマーク１３が印字されたものである。
【００１７】
電線・ケーブル１１は、例えば、中心導体１４と、中心導体１４の外周に設けられた絶縁層１５とを備える。よって、本実施の形態における外表面１２は絶縁層１５の表面を意味する。
【００１８】
レングスマーク１３は、電線・ケーブル１１の一方の端末（図示始端）からの長さを表示する第一のレングスマーク１３ａと、電線・ケーブル１１の他方の端末（図示終端）からの長さを表示する第二のレングスマーク１３ｂとからなる。
【００１９】
第一のレングスマーク１３ａと第二のレングスマーク１３ｂは、電線・ケーブル１１の異なる表示面１２ａ、１２ｂにそれぞれ印字されている。
【００２０】
ただし異なる表示面とは、周方向の位置が同位置でない表示面を指す。表示面１２ａは図１（ａ）の紙面に対して手の前側の面であり、表示面１２ｂは図１（ａ）の紙面に対して奥側の面である。
【００２１】
なお、第一のレングスマーク１３ａと第二のレングスマーク１３ｂは、図２（ａ）、（ｂ）に示すように、電線・ケーブル１１の同一の表示面１２ａにそれぞれ印字されても良い（同一の表示面とは、周方向の位置が同位置である表示面を指す。）。
【００２２】
例えば、電線・ケーブル１１の使用量を示す第一のレングスマーク１３ａを分子とし、電線・ケーブル１１の残数量を示す第二のレングスマーク１３ｂを分母として並記すると良い。
【００２３】
この場合には、たとえ電線・ケーブル１１の使用量と残数量との差が殆ど無い（例えば０４９Ｍ／０５１Ｍの）場合でも、分子＝使用量、分母＝残数量と、明確に数値を区別することができる。また電線・ケーブル１１の全長が予め分かっていなくても、使用量と残数量の両方を把握することができる。
【００２４】
また第一のレングスマーク１３ａと第二のレングスマーク１３ｂの文字色や文字種（フォント）などを異なるものとしても良い。第一のレングスマーク１３ａと第二のレングスマーク１３ｂの文字種が同じで、さらに電線・ケーブル１１の使用量と残数量の差が殆どないものとした場合より、使用量と残数量を明確に区別することが可能になる。
【００２５】
以上説明したレングスマーク付電線・ケーブル１０によれば、電線・ケーブル１１の一方の端末からの長さを表示する第一のレングスマーク１３ａと、電線・ケーブル１１の他方の端末からの長さを表示する第二のレングスマーク１３ｂとが印字されているため、レングスマークの確認のみで、計尺せずに電線・ケーブル１１の使用量と残数量を同時に管理することができ、正確な数量管理を可能とすることができる。
【符号の説明】
【００２６】
１０    レングスマーク付電線・ケーブル
１１    電線・ケーブル
１２    外表面
１２ａ  表示面
１２ｂ  表示面
１３    レングスマーク
１３ａ  第一のレングスマーク
１３ｂ  第二のレングスマーク
１４    中心導体
１５    絶縁層
【図１】
2013229177.tif 000003
【図２】
2013229177.tif 000004
【図３】
2013229177.tif 000005